(57)【要約】【課題】本発明は、システムキッチンのキャビネットの引出しの中でも、使用頻度が高く、また、手が塞がった状況で引出すことが必要とされることの多い蹴込み部以外の引出し、特にコンロ脇の引出しを、手を使わずに引き出すことができるようにして収納物が出し入れし易くすることにより、使い勝手を良くしたキッチンキャビネットを提供するものである。【解決手段】本発明は、複数の引出しを備え、蹴込み部以外の引出しのうち、少なくとも１つ、特にコンロ脇の引出しをプッシュオープンとしたキッチンキャビネットである。また、上記において、プッシュオープン引出しが、ボトル類を立てて収納可能な深さと内引出しを有し、プッシュオープン引出しを引き出した状態及び収納した状態において、前記プッシュオープン引出しの前板内側と、内引出しの前板の前方との間に、ボトル類を立てて収納可能な縦長収納部が設けられているキッチンキャビネットである。【選択図】  図１
2007190261.tif 000002
【特許請求の範囲】
【請求項１】
複数の引出しを備え、蹴込み部以外の引出しのうち、少なくとも１つがプッシュオープン式であるキッチンキャビネット。
【請求項２】
請求項１において、コンロ脇の引出しが、プッシュオープン式であるキッチンキャビネット。
【請求項３】
請求項１又は２において、プッシュオープン式の引出しが、ボトル類を立てて収納可能な深さを有するキッチンキャビネット。
【請求項４】
請求項１〜３の何れかにおいて、プッシュオープン式の引出しが、内引出しを有するキッチンキャビネット。
【請求項５】
請求項４において、引出しを引き出した状態及び収納した状態において、前記引出しの前板内側と、内引出しの前板の前方との間に、ボトル類を立てて収納可能な縦長収納部が設けられているキッチンキャビネット。
【請求項６】
請求項５において、プッシュオープン式の引出しを引き出すときに、内引出しが連動して引き出されるキッチンキャビネット。
【請求項７】
請求項６において、プッシュオープン式の引出しと内引出しを連動して引き出す途中において、内引出しの連動が解除されるキッチンキャビネット。
【発明の詳細な説明】
【技術分野】
【０００１】
本発明は、システムキッチン用のキャビネットに関するものであり、特にはワークトップ下のコンロキャビネットの横に設置されるキッチンキャビネットに関する。
【背景技術】
【０００２】
システムシステムキッチン用のキッチンキャビネット１７は、図１２に示すように、台所用品や調味料等を収納できるよう複数の引出しを有するのが一般的であるが、調理で汚れた手で引出しを引き出そうとすると取っ手に汚れが付着したり、キャビネットの蹴込み部２に設けられた蹴込み部引出し２ａ（以下、単に「蹴込み部引出し」と言う。）を引き出そうとすると腰を屈める必要があり操作が大変であるといった問題があった。
【０００３】
そこで、引出し操作の際に腰を落として屈む必要があるような蹴込み部引出し２ａについては、手を使わず、また腰を屈めることなく、ペダルを足で踏むことで引出し操作を行うことを可能としたキッチンキャビネットが考案されている（特許文献１）。また、引出し前板と蹴込み板との間に、引出し用飛び出し装置を取り付け、蹴込み部引出し２ａを引出す際の操作力を軽減したキッチンキャビネットが考案されている（特許文献２）。
【特許文献１】特開２００３−２８９９５７号公報
【特許文献２】特開２００４−２４８８４８号公報
【発明の開示】
【発明が解決しようとする課題】
【０００４】
従来の技術によるキッチンキャビネット１７の場合、キャビネットの下側、特に蹴込み部引出し２ａを引出す際には、腰を屈める必要がなく、また、手を使わずに引出し操作が可能となる点では便利である。しかしながら、蹴込み部引出し２ａの上側に配置された蹴込み部以外の引出し２０（以下、「蹴込み部以外の引出し」と言う。）については、調理等で汚れた手で引出しを引出そうとすると取っ手に汚れが付着したり、調理等で手が塞がった状態での引出しの操作が大変であり、従来技術の課題をそのまま有する問題がある。
【０００５】
システムキッチンは、コンロ１３と引出しを有するコンロキャビネット１５、シンク１４と引出しを有するシンクキャビネット１６の間に隣接して、引出しのみを有するキッチンキャビネット１７を配置するのが一般的である。そして、頻繁に使用する調理器具や調味料は、調理中でもすぐに手が届いて出し入れが容易なように、キッチンキャビネット１７の引出しの中でも上側に配置された、蹴込み部以外の引出し２０に収納されるのが通常である。このため、キッチンキャビネット１７のこれらの蹴込み部以外の引出し２０や、特に、コンロキャビネット１５横のワークトップ７の下（以下、「コンロ脇」と言う。）に位置し且つ蹴込み部以外の引出し２０（以下、「コンロ脇の引出し２１」と言う。）は、調理中に使用するものを収納するのに使用されることが多いため、調理中で手が汚れていたり手が塞がっている状態でも引出せるようにしたいという要望が大きいものである。
【０００６】
一方、蹴込み部引出し２ａは、引出しから収納物を出し入れする際には、腰を屈める必要があることから、一般に使用頻度の低いものが収納される。このため、蹴込み部以外の引出し２０に比べて、頻繁に使用する調理器具や調味料などが収納されることは少ないため、調理中で手が汚れていたり、手が塞がっている状態で引出せるようにしたいという要望はあまり大きくはない。
【０００７】
このように、従来技術によるキッチンキャビネット１７は、使用頻度が高いため操作性を良くしたいという要望や、調理中に使用するものが収納されるため手を使用せずに引出せるようにしたいという要望が大きい引出しについては、使い勝手を良くしたものとは言えなかった。
【０００８】
本発明は、このような課題を解決するためにされたものであり、システムキッチンのキャビネットの引出しの中でも、使用頻度が高く、また、手が塞がった状況で引出すことが必要とされることの多い蹴込み部以外の引出し２０、特にコンロ脇の引出し２１を、手を使わずに引き出すことができるようにして収納物が出し入れし易くすることにより、使い勝手を良くしたキッチンキャビネット１７を提供するものである。
【課題を解決するための手段】
【０００９】
本発明は、次のものに関する。
（１）  複数の引出しを備え、蹴込み部以外の引出しのうち、少なくとも１つがプッシュオープン式であるキッチンキャビネット。
（２）  項（１）において、コンロ脇の引出しが、プッシュオープン式であるキッチンキャビネット。
（３）  項（１）又は（２）において、プッシュオープン式の引出しが、ボトル類を立てて収納可能な深さを有するキッチンキャビネット。
（４）  項（１）〜（３）の何れかにおいて、プッシュオープン式の引出しが、内引出しを有するキッチンキャビネット。
（５）  項（４）において、引出しを引き出した状態及び収納した状態において、前記引出しの前板内側と、内引出しの前板の前方との間に、ボトル類を立てて収納可能な縦長収納部が設けられているキッチンキャビネット。
（６）  項（５）において、プッシュオープン式の引出しを引き出すときに、内引出しが連動して引き出されるキッチンキャビネット。
（７）  項（６）において、プッシュオープン式の引出しと内引出しを連動して引き出す途中において、内引出しの連動が解除されるキッチンキャビネット。
【発明の効果】
【００１０】
蹴込み部以外の引出しをプッシュオープンとすることにより、キャビネットの引出しの中でも使用頻度の高い引出しを、手の甲、腕や肘等を使って押す動作で引出せるので、手を使って引出す必要がなく、キッチンキャビネットとしての操作性が向上する（請求項１）。
【００１１】
コンロ脇の引出しをプッシュオープンとすることにより、特に使用頻度の高い位置に配置された引出しを押すだけで引出せるので、さらにキッチンキャビネットとしての操作性が向上する（請求項２）。
【００１２】
プッシュオープン式の引出し１（以下、「プッシュオープン引出し」と言う。）が、ボトル類を立てて収納可能な深さを有することにより、ボトルに入った調味料を収納できるばかりでなく、引出し全体としては高さ方向の長さが長くなるため、引出しをワークトップ７のすぐ下の最上部に配置した場合でも、膝や尻等を使って引出しの前板を押すことが可能となり、キッチンキャビネットとしての操作性が向上する。また、コンロキャビネットの近くで、使い易い高さの位置で背の高い物品を取り出し易く且つ収納しやすい状態で収納することができて、作業動線の短縮と使い勝手が向上する（請求項３）。
【００１３】
プッシュオープン引出しが、内引出しを有することにより、１つの引出しを２段にして使用することができ、収納深さが深いプッシュオープン引出し内の収納空間を無駄なく利用することができる（請求項４）。
【００１４】
プッシュオープン引出しを引き出した状態、及び、収納した状態において、前記引出しの前板内側と内引出しの前板前方との間に、ボトル類を立てて収納可能な縦長収納部が設けられているようにすることにより、この部分には背の高いボトル類を収納でき、またそれ以外の部分には、１つの引出しを２段にして使用することができ、引出し内の収納空間を無駄なく利用することができる。また、背の高いボトルや菜箸等の長物を引出しの前板側に、立てた状態で収納できるため、取出しや収納がやり易く使い勝手が向上する（請求項５）。
【００１５】
プッシュオープン引出しを引き出すときに、内引出しが連動して引き出されるようにすることで、内引出しをまた引出す手間が省け、使い勝手が向上する（請求項６）。
【００１６】
プッシュオープン引出しと内引出しを連動して引き出す途中において、内引出しの連動が解除されるようにすることで、引き出した状態では、プッシュオープン引出しの全体が内引出しによって覆われることがないため、プッシュオープン引出し１の内容物がよくわかり、また、出し入れし易いため、使い勝手が向上する（請求項７）。
【発明を実施するための最良の形態】
【００１７】
本発明のキッチンキャビネット１７は、ワークトップ７にコンロ１３を有するコンロキャビネット１５、シンク１４を有するシンクキャビネット１６、等とともにシステムキッチンを構成するものであり、コンロキャビネット１５に隣接して配置される。
【００１８】
本発明のキッチンキャビネット１７に使用する引出しは、キャビネット内に複数設けられていればよく、その段数、及び配置、深さ、形状等に特に制限はないが、調味料や調理器具等の収納物の大きさや、使用目的・頻度等による分類の便宜、出し入れのし易さ等の観点から、キャビネット本体の上下の方向に、２段程度に積み重ねて配置されたものが好ましい（図１、図２）。最下段の引出しは、収納量を大きくする等のため蹴込み部２まで含むような蹴込み部引出し２ａとしたものがより望ましい。
【００１９】
本発明で使用するプッシュオープン引出し１は、引出しの前板１ａをキャビネット本体の奥側へ押す操作により、プッシュオープン引出し1が手前方向に飛び出すため、調理等で手が汚れていたり、手が塞がっていて引出しの取っ手を手で操作できない場合でも、手を使わず、肘、膝、尻等で開けることができるものである。
【００２０】
プッシュオープン引出し１の構成は、プッシュオープン引出し１の前板１ａを押すことで、プッシュオープン引出し１が飛び出す機能が実現できればどのようなものでもよいが、一例としては、図９、図１０に示すように、チャージ本体４、及び押出し部４ａ、爪５からなるものが挙げられる。これらの部品は、例えば、図４、図５に示すように、チャージ部本体４と押出し部４ａがプッシュオープン引出し１の奥のキッチンキャビネット１７の背板８の内側の水平板１０上に、爪５がプッシュオープン引出し１の背板１９の下端に、それぞれ取付けられる。
【００２１】
ここで、チャージ部本体４（図１１）の内部には、ばねと、押出し部４ａを押す毎にばねが縮んだ状態での保持とばねの開放を繰り返すロックが取付けられている。このため、押出し部４ａを押す毎に、押出し部４ａが、ばねの力に逆らってチャージ部本体４内に押込まれロックにより保持された状態（図４、図９）と、ロックの解除によりその保持が開放され内部のばねの力によって飛び出した状態（図５、図１０）を、交互に繰り返すことになる。
【００２２】
この構成により、プッシュオープン引出し１を収納する際は、爪５が押出し部４ａを押すことによって、押出し部４ａがチャージ部本体４内に押込まれた状態で保持され（図４、図９）、一方、引出しを開ける際は、引出しの前板を押すことにより、爪５が再度押出し部４ａを押すことになるため、チャージ部本体４内で縮められたばねが開放され、押出し部４ａを押出し、この押出し部４ａが、爪５を押すことになるため、引出し箱１ｂが押出され、プッシュオープン引出し１が開放される（図５、図１０）。
【００２３】
キャビネットの引出しの中で、蹴込み部以外の引出し２０は、引出し操作や、収納物の出し入れを行う際に、わざわざ屈む必要がないため、使用頻度の高いものや取出し易さが必要とされるものが収納されることが多い。このため、プッシュオープン引出し１は、蹴込み部以外の引出し２０として、配置されることが望ましい。特に、コンロ脇の引出し２１は、コンロに近いことから、調理中に必要となる調味料や調理器具類が収納されることが多く、図１、図２に示すように、この位置にプッシュオープン引出し１を配置するのが望ましい。これにより、調理中で手が汚れていたり、手が塞がっている状態でも、引出せるようにしたいという要望が大きい引出しを、手を使わなくても引出しを引出せるようにすることが可能となる。なお、コストの面から、蹴込み部以外の引出し２０、または、コンロ脇の引出し２１のみをプッシュオープンとし、その他の位置の引出しを通常の引出しとするのが望ましい。
【００２４】
それぞれの引出しの深さは、特に制限するものではないが、例えば図４、図５に示すように、蹴込み部引出し２ａの収納深さＨ２と、その上部に配置したプッシュオープン引出し１の収納深さＨ１が、同等の深さであるか、むしろ、後者の方が深いことが望ましい。これにより、プッシュオープン引出し１の前板１ａの下端が使用者の膝程度の高さとなり、前板１ａの上端が使用者の臀部、または、肘や腕の少し下程度の高さとなることから、調理等で手が汚れていたり、手が塞がっていたりしても、手を使わずに、膝、尻、肘、腕等によって、プッシュオープン引出し１の前板１ａを押すことにより、プッシュオープン引出し１を開けることが可能となる。
【００２５】
また、食用油や醤油又はソース等の調味料を入れるプラスチック製のグリップボトルの高さ寸法は３００〜３３０ｍｍ程度、ラップフィルムやキッチンペーパー等の長さは３００ｍｍ前後である。このため、キャビネットの上部に配置したプッシュオープン引出し１の収納深さＨ１を、３５０〜４００ｍｍ程度とした場合は、これらの物品を立てた状態で収納でき、さらに好ましい。なお、上記の収納深さＨ１を深くした引出しには、食用油や醤油又はソース等の主として液体を入れた容器を収納することを想定しており、こぼれた液体調味料等の清掃性を考慮して、プッシュオープン引出し１の底面上にトレーを設けるようにするのが好ましい。
【００２６】
上記のようにプッシュオープン引出し１の収納深さＨ１を、ボトル類を立てて収納できる程度とした場合は、図３に示すように、内引出し３を設けると、１つのプッシュオープン引出し１の一部または全部を２段にして使用することができ、プッシュオープン引出し１内の収納空間を無駄なく利用することができる。
【００２７】
図６に示すように、プッシュオープン引出し１の前板１ａの内側と、内引出し３の前板３ａの前方との間に、ボトル類を立てて収納可能な縦長収納部９が設けられていることで、プッシュオープン引出し１の手前側に背の高いボトル類を収納でき、またそれ以外の部分では、１つのプッシュオープン引出し１を２段にして使用することができ、プッシュオープン引出し１内の収納空間を無駄なく利用することができる。また、背の高いボトルや菜箸等の長物をプッシュオープン引出し１の前板１ａ側に、立てた状態で収納できるため、取出しや収納がやり易く使い勝手が向上する。
【００２８】
プッシュオープン引出し１を引き出した状態及び収納した状態において、プッシュオープン引出し１の前板１ａと、内引出し３の前板３ａの前方との間に、ボトル類等の縦長の物品を収納するための縦長収納部９を設けるキッチンキャビネット１７の場合、プッシュオープン引出し１を引き出すときに、一回の動作で内引出し３も引き出せるように、プッシュオープン引出し１と内引出し３が連動して引き出されるようにするのが好ましい。これは、例えば、図６に示すように、内引出し連動板６の下端にマグネット受け１２、及びプッシュオープン引出し１の背板１９の外側にマグネット１１を取付け、プッシュオープン引出し１を収納した状態で、マグネット受け１２とマグネット１１が、くっつき合うようにすることで可能となる。
【００２９】
さらに、図７に示すように、プッシュオープン式の引出し１を引き出して、プッシュオープン引出し１の奥側に物品を収納する時に、プッシュオープン引出し１と内引出し３の連動を解除する手間が省けるように、プッシュオープン引出し１を引き出す途中において自動的に内引出し３との連動が解除されるようにするのがより好ましい。これは、例えば、内引出し３のストロークを、プッシュオープン引出し１のストロークよりも短くすることにより可能となる。
【実施例１】
【００３０】
図１は、本発明の実施例１によるキッチンキャビネット１７を組込み設置したシステムキッチンの斜視図を示す。図１において、本実施例によるキッチンキャビネット１７は、コンロ１３及びシンク（水槽）１４を備えるワークトップ７（間口寸法２５５０ｍｍ、奥行寸法６５０ｍｍ）の下に設置され、ベースキャビネットとしてのシンクキャビネット１６とコンロキャビネット１５との間に組み込み設置される。上記のシンクキャビネット１６及びコンロキャビネット１５は、それぞれのキャビネットの下部に蹴込み部引出し２ａと、その上部に蹴込み部以外の引出し２０を設けた構造となっている。
【００３１】
一方、上記のコンロキャビネット１５の横に設置する本実施例のキッチンキャビネット１７には、コンロ脇に、後述する内引出し３付きのプッシュオープン引出し１が引出し自在に設けられ、プッシュオープン引出し１の下部には、前記したシンクキャビネット１６及びコンロキャビネット１５の蹴込み部引出し２ａと同様の蹴込み部引出し２ａが設けられる。
【００３２】
図４は、図１、図２のコンロ脇のプッシュオープン引出し１を含むキッチンキャビネット１７のＡ−Ａ断面図で、プッシュオープン引出し１を収納した状態を示す。図５は、図４と同様の断面図であるが、プッシュオープン引出し１を引出した状態を示す。
【００３３】
図２は、図１のシステムキッチンのキッチンキャビネット１７におけるコンロ脇のプッシュオープン引出し１を引出した状態の斜視図を示す。本実施例では、このコンロ脇のプッシュオープン引出し１は、プッシュオープンの機能を実現するため、図９、図１０に示すチャージ本体４、及び押出し部４ａ、爪５を、図４、図５に示すように、チャージ部本体４と押出し部４ａがプッシュオープン引出し１の奥のキャビネット本体内側に、爪５がプッシュオープン引出し１の背板１９の下端に、それぞれ取付けられる。
【００３４】
ここで、チャージ部本体４（図１１）の内部には、ばねと、押出し部４ａを押す毎にばねが縮んだ状態での保持とばねの開放を繰り返すロックが取付けられている。このため、押出し部４ａを押す毎に、押出し部４ａがばねの力に逆らってチャージ部本体４内に押込まれロックにより保持された状態（図４、図９）と、ロック解除によりその保持が開放され内部のばねの力によって飛び出した状態（図５、図１０）を交互に繰り返す。
【００３５】
上記の引出しＸには、調理作業で使用する醤油、食用油又はソース等の調味料を入れるグリップボトルと称するプラスチック製のボトルやキッチンペーパー等の高さ寸法が３００ｍｍを越える背の高い物品を、その取り出し及び収納作業が容易なように立てた状態で収納できるようにするために、本実施例では、図４に示すプッシュオープン引出し１の収納深さＨ１を、３８０ｍｍの寸法となるように構成した。
【実施例２】
【００３６】
本実施例では、実施例１のキッチンキャビネット１７において、図６に示すように、コンロ脇に、内引出し３を備えるプッシュオープン式引出し１を取付けている。内引出し３を備えるプッシュオープン引出し１は、プッシュオープン引出し１（外引出し）と、このプッシュオープン引出し１（外引出し）の上方に位置し、引き出し自在に設けられる内引出し３とからなる。
【００３７】
本実施例における内引出し３付きのプッシュオープン引出し１は、プッシュオープン引出し１（外引出し）を引き出した状態及び収納した状態において、図６に示すように、プッシュオープン引出し１の手前側収納部から内引出し３の前方側にかけて、連続する縦方向に長い物品を収納するためのスペースとしての縦長収納部９が形成されるように構成されている。
【００３８】
このため、プッシュオープン引出し１（外引出し）と内引出し３との奥行寸法は、図７ｂに示すように、内引出し３の奧行寸法Ｄを４５０ｍｍとし、プッシュオープン引出し１（外引出し）の奥行寸法を５５０ｍｍとして、図７に示すプッシュオープン引出し１（外引出し）及び内引出し３を連動して引き出した状態、及び収納した状態の両方において、プッシュオープン引出し１（外引出し）の前板１ａ裏面側と内引出し３の前板３ａの前面側との間に、開口（図中のＬ寸法）が１００ｍｍとなるように設けている。従って、本実施例のキッチンキャビネット１７の使用時には、上記１００ｍｍの開口とした縦長収納部９に、上方側から、菜箸、ラップフィルムあるいはレードル類等の比較的長物の物品を立てた状態で収納できるようにしている。
【００３９】
また、本実施例では、内引出し３を備えるプッシュオープン引出し１（外引出し）が、図７に示すように、内引出し３の背板１８の背面に金属板からなるマグネット受け１２を取り付け、一方、プッシュオープン引出し１（外引出し）の背板１９の外側にマグネット１１を取り付けることにより、通常状態においてはマグネット受け１２がマグネット１１に吸着され、プッシュオープン引出し１（外引出し）を引き出す時に内引出し３も連動して引き出される。
【００４０】
さらに、プッシュオープン引出し１の引き出しストロークは、内引出し３の引き出しストロークよりも前方側に１００ｍｍ長くしており、従って、図７に示すように、プッシュオープン引出し１（外引出し）を引き出す途中において、引き出しストロークの短い内引出し３の連動が解除されるようになっている。
【図面の簡単な説明】
【００４１】
【図１】本発明の実施例１のキッチンキャビネットが組込まれたシステムキッチンの斜視図である（プッシュオープン引出しを閉じた状態）。
【図２】本発明の実施例１のキッチンキャビネットが組込まれたシステムキッチンの斜視図である（プッシュオープン引出しを開けた状態）。
【図３】本発明の実施例２のキッチンキャビネットが組込まれたキッチンセットの斜視図である（プッシュオープン引出しを開けた状態）。
【図４】図１の要部縦断面図Ａ−Ａである（プッシュオープン引出しを閉じた状態）。
【図５】図２の要部縦断面図Ａ−Ａである（プッシュオープン引出しを開けた状態）。
【図６】図３の要部縦断面図Ａ−Ａである（プッシュオープン引出しを閉じた状態）。
【図７】図３の要部縦断面図Ａ−Ａである（内引出しを連動して、プッシュオープン引出しを開けた状態）。
【図８】図３の要部縦断面図Ａ−Ａである（内引出しの連動を解除して、プッシュオープン引出しを開けた状態）。
【図９】図６のプッシュオープン用の部品の取付け部の詳細図である。
【図１０】図７のプッシュオープン用の部品の取付け部の詳細図である。
【図１１】チャージ部本体及び押出し部の詳細図である。
【図１２】従来の技術を示した説明概略図である。
【符号の説明】
【００４２】
１    プッシュオープン引出し
１ａ  プッシュオープン引出しの前板
１ｂ  プッシュオープン引出しの引出し箱
１ｃ  プッシュオープン引出しの取っ手
２    蹴込み部
２ａ  蹴込み部引出し
３    内引出し
３ａ  内引しの前板
４    チャージ部本体
４ａ  押出し部
５    爪
６    内引出し連動板
７    ワークトップ
８    キッチンキャビネットの背板
９    縦長収納部
１０    水平板
１１    マグネット
１２    マグネット受け
１３    コンロ
１４    シンク
１５    コンロキャビネット
１６    シンクキャビネット
１７    キッチンキャビネット
１８    内引出しの背板
１９    プッシュオープン引出しの背板
２０    蹴込み部以外の引出し
２１    コンロ脇の引き出し
【図１】
2007190261.tif 000003
【図２】
2007190261.tif 000004
【図３】
2007190261.tif 000005
【図４】
2007190261.tif 000006
【図５】
2007190261.tif 000007
【図６】
2007190261.tif 000008
【図７】
2007190261.tif 000009
【図８】
2007190261.tif 000010
【図９】
2007190261.tif 000011
【図１０】
2007190261.tif 000012
【図１１】
2007190261.tif 000013
【図１２】
2007190261.tif 000014